【手続補正書】
【提出日】平成17年3月10日(2005.3.10)
【手続補正１】
【補正対象書類名】明細書
【補正対象項目名】全文
【補正方法】変更
【補正の内容】
【書類名】      明細書
【発明の名称】  液晶表示装置およびこれを用いた小型情報機器
【特許請求の範囲】
【請求項１】  第１の基板上に設ける信号電極と、第２の基板上に設ける対向電極と、第１の基板と第２の基板との間に封入する液晶層の電気光学変化により表示を行う液晶表示パネルを有し、
液晶表示パネルの裏面、あるいは側部に、異なる発光機構で可視光の波長領域の発光を行う複数の光源部を有することを特徴とする液晶表示装置。
【請求項２】  請求項１に記載の液晶表示装置において、
前記複数の光源部は発光ダイオードとエレクトロルミネセンスであることを特徴とする液晶表示装置。
【請求項３】  請求項１に記載の液晶表示装置において、
少なくとも一方の光源部上には、可視光を吸収、あるいは、反射するフィルター層を有することを特徴とする液晶表示装置。
【請求項４】  請求項１に記載の液晶表示装置において、
観察者と反対側の面に配置する第１の基板の裏面側には、反射型偏光板を配置してあることを特徴とする液晶表示装置。
【請求項５】  請求項１に記載の液晶表示装置において、
観察者と反対側の面に配置する第１の基板の裏面側には、コレステリック液晶ポリマーフィルムを配置してあることを特徴とする液晶表示装置。
【請求項６】  請求項１に記載の液晶表示装置において、
前記光源部の少なくとも一つは、液晶表示パネルに対しリング状に光照射するリング状光源部であることを特徴とする液晶表示装置。
【請求項７】  請求項２に記載の液晶表示装置において、
エレクトロルミネセンス光源部には、発光ダイオード光源部を設けるための開口部を有することを特徴とする液晶表示装置。
【請求項８】  請求項２に記載の液晶表示装置において、
発光ダイオード光源部は複数の色の発光ダイオード群からなることを特徴とする液晶表示装置。
【請求項９】  請求項８に記載の液晶表示装置において、
前記発光ダイオード光源部を構成する複数の発光ダイオードと液晶層の動作が同期して異なる色を表示する機構を有することを特徴とする液晶表示装置。
【請求項１０】  請求項８に記載の液晶表示装置において、
前記両光源部は、非点灯、または発光ダイオード光源部のみの点灯、またはエレクトロ
ルミネセンス光源部のみの点灯、または発光ダイオード光源部とエレクトロルミネセンス光源部の同時の点灯を行うとともに、前記複数の色の発光ダイオードと液晶層の動作が時間的に同期して表示を行う機能を有することを特徴とする液晶表示装置。
【請求項１１】  請求項１０に記載の液晶表示装置において、
前記複数の色の発光ダイオードと液晶層が時間的に同期して表示を行う動作に加えて、さらにエレクトロルミネセンス光源部と液晶層の動作が時間的に同期して表示を行う機能を有することを特徴する液晶表示装置。
【請求項１２】
請求項１から請求項１１のいずれかに記載の液晶表示装置とブザーとを備えた小型情報機器において、
時間を指定してブザー動作を設定する機能を有し、さらにブザーの音に連動して前記光源部の少なくとも一つが点灯することを特徴とする小型情報機器。
【請求項１３】  請求項１から請求項１１のいずれかに記載の液晶表示装置を用いた小型情報機器において、
電池の電気残量により、前記複数の光源部それぞれの点灯の有無を選択する機構を有することを特徴とする小型情報機器。
【請求項１４】  請求項１から請求項１１のいずれかに記載の液晶表示装置と発電機能を有する小型情報機器において、
発電量と電池の電気残量により前記複数の光源部それぞれの点灯の有無を選択する機構を有することを特徴とする小型情報機器。
【請求項１５】  請求項１から請求項１１のいずれかに記載の液晶表示装置を用いた小型情報機器において、
前記液晶表示パネルの一部にアナログ表示の指針軸用の貫通孔を有し、前記光源部の少なくとも一つは該貫通孔に対称に配置することを特徴とする小型情報機器。
【請求項１６】  請求項１から請求項１１のいずれかに記載の液晶表示装置を有し、また指針を備えた時計装置を有し、
液晶表示パネルの時刻表示部あるいは前記指針により時刻表示を行うことを特徴とする小型情報機器。
【発明の詳細な説明】
【０００１】
【発明の属する技術分野】
本発明は、小型情報機器を暗い外部環境にて使用する場合に、液晶表示パネルの表示の視認性を向上するために設ける、可視光の波長領域の発光をする光源部を多彩にし、小型情報機器のデザイン性の向上と、観察者への情報の提示を行うものである。さらに、小型情報機器を駆動するための消費電力の低減を行うために、外部環境が明るい場合の表示品質の向上と、暗い環境での視認性とデザイン性の向上に適する、消費電力の小さい光源部による液晶表示パネルの構成の改善を行うものである。さらに、液晶表示パネルの駆動と複数の彩度の異なる発光ダイオード（以下、ＬＥＤと略記する）の点灯と同期を行い、液晶表示パネルの透過と遮蔽効果と複数の彩度のＬＥＤの発光により、観察者の視認性の時間積分効果と時間分解能を利用し多色表示を行う機構を有する液晶表示装置に関するものである。
【０００２】
さらに、発電機能を有する小型情報機器において、発電量、あるいは電気残量に応じて光源部の種類を選択することにより、視認性の向上と小型情報機器の使用可能時間を延長することに関する。
【０００３】
また、発光機構としては、ＬＥＤ、エレクトロルミネセンス（以下、ＥＬと略記する）、レーザーダイオード、真空放電管（蛍光管：冷陰極型、熱陰極型）、プラズマ発光、フィラメント型、フィールドエミッション型等があり、小型情報機器に利用する場合には、ＬＥＤ、ＥＬ、冷陰極蛍光管、フィールドエミッション型が有効である。
【０００４】
また、デザイン性と低消費電力化が特に重要であり、電池寿命の延長、および、光源部の選択がセールスポイントとなる小型情報機器に関するものである。
【０００５】
【従来の技術】
現在、小型情報機器においては、液晶表示パネルの裏面に配置する光源部は多色表示、あるいは、高輝度の表示を行うことが少なく、実施されても消費電力の問題で、例えば、ＬＥＤを必要時のみ点灯する、あるいは、液晶表示パネルへカラーフィルターを設ける等の構成で対応していた。
【０００６】
さらに、赤（Ｒ）色と緑（Ｇ）色と青（Ｂ）色のＬＥＤを順番にオンとオフを繰り返し、各表示色に対応する時間に、液晶層に印加する電圧を制御し、液晶表示パネルの透過性と遮光性により所定の彩度を得る方法がある。
【０００７】
この方法を図面に基づいて説明する。図５は、各赤（Ｒ）色と緑（Ｇ）色と青（Ｂ）色のＬＥＤを順番に点灯するための駆動波形を示す波形図である。縦軸は、電圧軸であり、横軸は、時間軸である。横軸は、単位がミリ秒（ｍｓｅｃ．）である。また、赤（Ｒ）色には、Ａ１波形を印加し、青（Ｂ）には、Ｂ１波形を印加し、緑（Ｇ）には、Ｃ１波形を印加する。Ｔｆ（＋）とＴｆ（−）は、Ａ１、Ｂ１、Ｃ１の一周期を印加する時間であり、１フィールド時間を示す。また、Ｔｆ（＋）は、電圧が＋Ｖ１を印加するフィールド周期であり、Ｔｆ（−）は、−Ｖ１を印加するフィールド周期を示している。また、赤（Ｒ）は、フィールド時間内にＴａだけ＋Ｖ１、−Ｖ１印加し、他の時間には、基準電圧であるＧが印加される。Ｔａにて赤（Ｒ）が選択されることを示し、赤（Ｒ）色のＬＥＤが点灯される。
【０００８】
同様に、Ｔｂにて青（Ｂ）が選択されることを示し、青（Ｂ）色のＬＥＤが点灯される。つぎに、Ｔｃにて緑（Ｇ）が選択されることを示し、緑（Ｇ）色のＬＥＤが点灯される。すなわち、１フィールドの開始時間Ｔ０から、Ｔａ→Ｔｂ→Ｔｃの順に各ＬＥＤが点灯する。
【０００９】
さらに、白とするために、赤（Ｒ）と青（Ｂ）と緑（Ｇ）を同時に選択し、点灯することにより得られる。また、シアン色は、青（Ｂ）と緑（Ｇ）とを点灯し、マゼンタ色は、青（Ｂ）と赤（Ｒ）とを点灯し、イエロー色は、赤（Ｒ）と緑（Ｇ）とを点灯することにより得られる。明度は、ＬＥＤと組み合わせる液晶表示パネルの透過率を制御することにより達成できる。あるいは、赤（Ｒ）のＬＥＤの選択時間Ｔａを複数に分割し、赤（Ｒ）の点灯時間を可変にして表示を行うことができる。
【００１０】
以上の複数のＬＥＤを組み合わせることにより、観察者の視認性の積分効果を利用し、カラー表示が可能である。
【００１１】
さらに、小型情報機器にＬＥＤを利用する場合には、単色の赤（Ｒ）色のＬＥＤのみでも駆動電圧が大きいため、消費電力が大きく、常にＬＥＤを点灯することは、難しい。そのため、小型情報機器の観察者が必要に応じてＬＥＤを点灯するのみに限定されている。
【００１２】
しかし、光源部の輝度は、ＬＥＤがＥＬに比較して大きく、魅力のある表示が可能である。また、液晶表示パネルは、発光型の表示ではないため、暗い環境では、光源部が必要である。そのため、小型情報機器のデザイン性と応用性を含め、小型情報機器に適する光源部の選択が必要となる。
【００１３】
【発明が解決しようとする課題】
以上に説明したように、小型情報機器に組み込む液晶表示装置の装飾性の向上、あるいは、新規のデザイン性、応用性に適する光源部の選択が必要となり、さらに、光源部の構成の改善が必要となる。
【００１４】
さらに、ＬＥＤは輝度は大きいが、消費電力が大きく、電池交換が頻繁となったり、あるいは、大きな電気容量の電池が必要となって小型情報機器が厚くなり、高級感が減少する。
【００１５】
一方、ＥＬのみではカラー表示が難しく、また、輝度が不十分である。
【００１６】
そのため、液晶表示装置を組み込む小型情報機器の使用環境と観察者の必要に応じて、高輝度の光源部、あるいは、カラー表示、あるいは、消費電力優先の光源部の利用が必要となる。また、ブザー等の機能と連動し、色々な表示を光源部を利用して行い、デザイン性と視認性の向上を図ることが求められる。
【００１７】
特に、時計装置へ光源部を利用する場合には、デザイン性（装飾性）と低消費電力化の双方を解決する必要がある。
【００１８】
【課題を解決するための手段】
上記目的を達成するために、本発明の液晶表示装置と液晶表示装置を用いた小型情報機器は、以下の構成を利用する。
【００１９】
本発明の液晶表示装置は、第１の基板上に設ける信号電極と、第２の基板上に設ける対向電極と、第１の基板と第２の基板との間に封入する液晶層の電気光学変化により表示を行う液晶表示パネルを有し、液晶表示パネルの裏面、あるいは側部に少なくとも発光機構の異なる複数の可視光の波長領域の発光をする光源部を設ける。
【００２０】
本発明の液晶表示装置は、第１の基板上に設ける信号電極と、第２の基板上に設ける対向電極と、第１の基板と第２の基板との間に封入する液晶層の電気光学変化により表示を行う液晶表示パネルを有し、液晶表示パネルの裏面にＬＥＤとＥＬとの光源部を設ける。
【００２１】
本発明の液晶表示装置は、第１の基板上に設ける信号電極と、第２の基板上に設ける対向電極と、第１の基板と第２の基板との間に封入する液晶層の電気光学変化により表示を行う液晶表示パネルを有し、液晶表示パネルの裏面にＬＥＤとＥＬとの光源部を有し、さらに、少なくともＬＥＤあるいはＥＬ上に、可視光を吸収、あるいは、反射するフィルター層を設ける。
【００２２】
本発明の液晶表示装置は、第１の基板上に設ける信号電極と、第２の基板上に設ける対向電極と、第１の基板と第２の基板との間に封入する液晶層の電気光学変化により表示を行う液晶表示パネルを有し、液晶表示パネルの裏面にＬＥＤとＥＬとの光源部を有し、さらに、観察者と反対の側に配置する第１の基板の裏面側に反射型偏光板を配置する。
【００２３】
本発明の液晶表示装置は、第１の基板上に設ける信号電極と、第２の基板上に設ける対向電極と、第１の基板と第２の基板との間に封入する液晶層の電気光学変化により表示を行う液晶表示パネルを有し、液晶表示パネルの裏面にＬＥＤとＥＬとの光源部を有し、さらに、観察者と反対の側に配置する第１の基板の裏面側にコレステリック液晶ポリマーフィルムを配置する。
【００２４】
本発明の液晶表示装置に用いる光源部の少なくとも一つは、液晶表示パネルをリング状に光照射するリング状光源部とする。
【００２５】
本発明の液晶表示装置に用いる光源部は、液晶表示パネルの裏面に配置するＬＥＤとＥＬからなり、ＥＬにＬＥＤを設ける開口部を有する。
【００２６】
本発明の液晶表示装置に用いるＬＥＤ光源部は複数の色のＬＥＤからなる構成とする。
【００２７】
本発明の液晶表示装置に用いる光源部を構成する複数のＬＥＤと液晶層とが同期して異なる色を表示する機構を有する。
【００２８】
本発明の液晶表示装置に用いる光源部はＬＥＤとＥＬとからなり、さらに、ＬＥＤ光源部は複数の色のＬＥＤを有し、複数の色のＬＥＤと液晶層とが同期して時間的に表示を行い、さらに、光源部は、非点灯、ＬＥＤのみの点灯、ＥＬのみの点灯と、ＬＥＤとＥＬの同時の点灯を行う機能を有する。
【００２９】
本発明の液晶表示装置に用いる光源部はＬＥＤとＥＬとからなり、さらに、ＬＥＤ光源部は複数の色のＬＥＤを有し、複数の色のＬＥＤと液晶層とが同期して時間的に表示を行い、さらに、光源部は、非点灯、ＬＥＤのみの点灯、ＥＬのみの点灯と、ＬＥＤとＥＬと液晶層とが同期して時間的に表示を行う機構を有する。
【００３０】
本発明の液晶表示装置に用いる光源部はＬＥＤとＥＬとからなり、さらに、ＬＥＤ光源部は複数の色のＬＥＤを有し、さらに時間によりブザー設定機能を有し、さらにブザーの音に連動し、前記光源部の少なくとも一個が液晶層と同期して点灯する機構を有する。
【００３１】
本発明の液晶表示装置を用いた小型情報機器は、電池の電気残量により、複数の発光機構を有する光源部の点灯の有無を選択する機構を有する。
【００３２】
本発明の液晶表示装置と発電機能とを有する小型情報機器は、発電量、あるいは電池の電気残量により複数の発光機構を有する光源部の点灯の有無を選択する機構を有する。
【００３３】
本発明の液晶表示装置を用いた小型情報機器は、液晶表示装置を構成する液晶表示パネルの一部にアナログ表示の指針軸用の貫通孔を有し、液晶表示パネルの裏面、あるいは側部には少なくとも発光機構の異なる複数の可視光の波長領域の発光を有する光源部を有し、さらに、少なくとも貫通孔に関して対称に光源部を配置する。
【００３４】
（作用）
本発明の液晶表示装置は、液晶層に印加する電圧により透過率、あるいは反射率、あるいは、散乱度を印加電圧により制御することにより、液晶表示装置の使用環境が明るい場合、あるいは、特に視認性の向上が必要ない場合には、光源部を非点灯状態とし、使用環境が暗い、あるいはタイマー等の表示を行い、利用者に特別の視認性を必要とする場合には、光源部の消費電力に応じて、複数の発光機構を有する光源部を選択して利用することにより、液晶表示装置とそれを用いる小型情報機器の駆動時間の延長とデザイン性の向上が可能となる。
【００３５】
また、光源部としてＬＥＤとＥＬを利用し、ＥＬを面光源として利用する。また、ＬＥＤを側部に配置し導光板にてＥＬ上に導光し、さらに、外部光源が明るい場合には、導光板上、あるいはＥＬ上に設けるフィルター層の反射色、あるいは吸収色を利用して表示を行うことにより、装飾性に優れる表示が可能となる。
【００３６】
また、液晶表示パネルを構成する偏光板には、一方の光学軸が透過軸であり、直交する光学軸が反射軸である反射型偏光板を利用することにより、液晶表示パネルの裏面が吸収
色の場合に、反射型偏光板により反射とフィルター層の吸収色により良好なコントラスト比が可能となる。さらに、使用環境の反射と複数の光源部の点灯との組み合わせにより、反射光と光源部からの光により非常に多彩な表示が可能となる。
【００３７】
また、コレステリック液晶ポリマーフィルムを用いて、その選択反射特性と大きな透過性を利用することにより、明るい表示と装飾性に優れる表示が可能となる。また、使用者と小型情報機器の位置により選択反射色が変化するため、光源部の色と組み合わせることにより、色々な表示を一種類の小型情報機器にて得ることができる。
【００３８】
また、複数の色を有するＬＥＤを時間選択することによりカラー表示が可能であるが、液晶表示パネルを駆動する周波数を光源部の発光機構に適するよう可変にする方法を採用することにより、光源部の選択と、液晶表示パネルの駆動周波数の選択により、さらに消費電力を低減することができる。
【００３９】
たとえば、ＬＥＤを時間選択してカラー表示を行う場合には、液晶表示パネルの応答速度を早くする必要があるため、液晶表示パネルへ印加する電圧を大きくし、あるいは駆動周波数を高くするので、液晶表示パネルの消費する電力は増加するが、逆に、ＥＬを利用する場合、あるいは外部光源を利用する場合には、液晶表示パネルへ印加する電圧、あるいは駆動周波数を低減するので、液晶表示装置とそれを用いた小型情報機器の消費する電力を低減できる。
【００４０】
また、ＬＥＤの各色の発光強度は異なっている。青色のＬＥＤの発光効率が悪く、さらに、観察者の視感度も緑が一番良く、青が悪いため、ＥＬの発光色を青、または青に近い色度にすることのより、全光源部が点灯した際に各色バランスの良好な明るい表示が可能となる。
【００４１】
また、ブザーにより使用者へ警報を発する場合に、光源部を選択することにより、非常に有効に警報を発することができる。
【００４２】
また、電池の残量検出、あるいは、発電機能を有する小型情報機器の場合には、電池残量、あるいは発電能力により、複数の光源部の内から、電力消費電力に対応して光源部を選択することにより、視認性の維持と電池寿命の延長が可能となる。
【００４３】
また、面光源であるＥＬにＬＥＤを配置するための開口部を設け、ＬＥＤの周囲にＥＬを設けることにより、光源部の利用面積を制限でき、明るい表示が可能となる。
【００４４】
また、分針、あるいは時針等によるアナログ表示部と液晶表示パネルによるデジタル表示部を有する小型情報機器の場合に、アナログ表示部の指針軸孔に対して側部に設ける光源部を対称に配置することにより、指針軸孔により光が遮断されるのを防止することができる。さらに、少なくとも一方の光源部をリング状の光源部とすることにより小型情報機器の上下の方向から光りを照射することができる。
【００４５】
【発明の実施の形態】
＜第１の実施形態＞
以下に、本発明を実施するための最良の形態における液晶表示装置と液晶表示装置を利用する小型情報機器について、図面を参照しながら説明する。小型情報機器としては、腕情報機器を実施形態としている。図１は、本発明の第１の実施形態における小型情報機器の平面模式図である。図２は、図１に示すＡ−Ａ線における断面模式図である。図３は、小型情報機器に用いる液晶表示装置の平面図である。図４は、図３に示すＢ−Ｂ線における断面図である。図５は、ＬＥＤを点滅するために用いる駆動波形図である。従来例と同
様な駆動波形を用いている。以下に、図１と図２と図３と図４と図５とを交互に用いて第１の実施形態を説明する。
【００４６】
液晶表示装置に用いる液晶表示パネルは、紙面下面に設ける第１の基板３１と紙面上面に設ける第２の基板３５を有する。第１の基板３１上には、透明導電膜として酸化インジウム酸化スズ（ＩＴＯ）膜からなるＭ本の信号電極３２を設ける。第１の基板３１と所定の間隙を有して対向する第２の基板３５上には、Ｎ本のデータ電極３６を有する。信号電極３２とデータ電極３６との交点が画素部４１となる。
【００４７】
また、画素部４１は、Ｍ×Ｎのマトリクスからなる。また、第１の基板３１と第２の基板３５との間には、ツイステッドネマティク（ＴＮ）液晶層３８を有する。液晶層３８は、第１の基板３１と第２の基板３５とシール部４２と封口材４３とにより封入されている。また、第１の基板３１上と第２の基板３５上とには、液晶を規則的に配列するために配向膜３７を設けている。さらに、配向膜３７は液晶層３８を規則的に配列するために、ラビング処理を行っている。さらに、液晶をツイストするために、カイラル材を添加した。
【００４８】
第２の基板３５を小型情報機器の利用者（観察者）側に配置し、第２の基板の観察者側（表側）には、第２の偏光板４０として吸収型偏光板を設ける。吸収型偏光板は、一方の光学軸が透過軸であり、直交する光学軸が吸収軸である偏光板である。第１の基板３１の観察者と反対（裏面）側には、第１の偏光板３９として反射型偏光板を設ける。反射型偏光板は、吸収型偏光板と異なり、一方の光学軸が透過軸であり、直交する光学軸が反射軸である。反射型偏光板は、住友スリーエム製のＤＢＥＦ（商品名）を利用した。
【００４９】
以上の構成を有する液晶表示装置を小型情報機器に利用する実施形態を、図１と図２とを用いて説明する。小型情報機器は、筐体である時計ケース１に風防ガラス２と裏蓋部３を有する。風防ガラス２側より、一方の光学軸が吸収軸であり、他方の光学軸は透過軸を有する吸収型の第２の偏光板４０と第２の基板３５と液晶層３８とシール材４２と第１の基板３１と、片方の光学軸が反射軸であり他方の光学軸が透過軸である反射型の第１の偏光板３９を配置する。
【００５０】
第１の基板３１上に設ける信号電極３２は、エポキシ系の接着剤中に導電性ビーズを混入する異方性導電シール材を利用し、第２の基板３５上に設ける接続電極（図示せず）に接続し、第２の基板３５上に電気的に配置転換される。これにより、液晶表示パネルと回路基板４との接続は、導電部と非導電部が交互に積層するゼブラゴム６を用いて、第２の基板３５上のデータ電極３６と接続電極に接続し、液晶層３８へ所定の電圧を印加し表示を行う。回路基板４には、電力供給のために電池５を設けている。
【００５１】
また、第２の偏光板４０と風防ガラス２との間には、液晶表示パネルを構成するシール材４２、あるいは、回路基板４等を観察者に対して遮蔽するために、見切り板７を設けている。
【００５２】
また、液晶表示装置は、キャラクターとして複数の魚１２の泳ぐデザインと、複数の赤（Ｒ）色の水玉１３と緑（Ｇ）色の水玉１４と青（Ｂ）色の水玉１５のデザインを表示する部分と、午前と午後の表示部８と時表示部９と分表示部１０からなる時刻表示部１１と、スケジュール等表示を行うメモ表示部２０とを有する。
【００５３】
また、第１の基板３１の裏面には第１の光源部としてＬＥＤ光源部２１を液晶表示パネルの側部に有する。ＬＥＤ光源部２１は、赤（Ｒ）色と緑（Ｇ）色と青（Ｂ）色のＬＥＤ（２２、２３、２４）からなり、各キャラクター表示部と時刻表示部１１とメモ表示部２０とにＲＧＢ一組のＬＥＤを有する。また、第１の基板３１の裏面側には、ＬＥＤ光源部
２１を液晶表示パネルへ導光する導光板４６を有する。導光板は散乱性と透過性の共存するものを利用した。
【００５４】
また、導光板４６の裏面側には、第２の光源部として面状光源であるＥＬ（４５）を設けている。ＥＬ（４５）上には、蛍光インキを印刷する印刷層（図示せず）を有し、液晶表示パネルが透過する場合には、導光板４６を透過してＥＬ（４５）上の印刷層が呈示される。
【００５５】
つぎに、液晶表示装置を用いた小型情報機器の表示方法を説明する。小型情報機器の利用環境が明るい場合には、液晶表示パネルの反射型の第１の偏光板３９を利用する反射特性と、透過による印刷層の蛍光調の色彩との差により表示を行うことができる。以上により、液晶表示装置の消費する電力は、光源部の非点灯により低減できる。液晶表示装置の消費電力は表示面積と光源部の照度等に依存するが、液晶表示パネルを駆動する回路を含めた消費電力に比較し、照明部は数倍の電力を消費している。
【００５６】
また、液晶表示パネルは、発光を行わないため、小型情報機器の利用環境が暗い場合には、表示の視認性が低下する。そのため、光源部の点灯が必要となる。まず、光源部の消費する電力を小さくし、電池５の寿命を長くする場合には、第２の光源部であるＥＬ（４５）を利用する。ＥＬ（４５）の点灯は、光センサー、または角度センサーを用いた傾斜検出による自動点灯の方法、あるいは小型情報機器の利用者によるボタン操作により行う方法がある。
【００５７】
さらに、各表示をカラー表示する場合には、ＲＧＢ色からなるＬＥＤ（２２、２３、２４）を液晶表示パネルを点灯する選択時間と同期して点灯することにより達成することができる。
【００５８】
各色のＬＥＤの点灯を選択する方法を図５を用いて説明する。各赤（Ｒ）色と緑（Ｇ）色と青（Ｂ）色のＬＥＤを順番に点灯するための駆動波形を示す波形図である。縦軸は、電圧軸であり、横軸は、時間軸である。横軸は、単位がミリ秒（ｍｓｅｃ．）である。また、赤（Ｒ）色には、Ａ１波形を印加し、青（Ｂ）には、Ｂ１波形を印加し、緑（Ｇ）には、Ｃ１波形を印加する。Ｔｆ（＋）とＴｆ（−）は、Ａ１、Ｂ１、Ｃ１の一周期を印加する時間であり、１フィールド時間を示す。また、Ｔｆ（＋）は、電圧が＋Ｖ１を印加するフィールド周期であり、Ｔｆ（−）は、−Ｖ１を印加するフィールド周期を示している。また、赤（Ｒ）は、フィールド時間内にＴａだけ＋Ｖ１、−Ｖ１を印加し、他の時間には、基準電圧であるＧが印加される。Ｔａにて赤（Ｒ）が選択されることを示し、赤（Ｒ）色のＬＥＤが点灯される。
【００５９】
同様に、Ｔｂにて青（Ｂ）が選択されることを示し、青（Ｂ）色のＬＥＤが点灯される。つぎに、Ｔｃにて緑（Ｇ）が選択されることを示し、緑（Ｇ）色のＬＥＤが点灯される。すなわち、１フィールドの開始時間Ｔ０から、Ｔａ→Ｔｂ→Ｔｃの順に各ＬＥＤが点灯する。
【００６０】
さらに、白色は、赤（Ｒ）と青（Ｂ）と緑（Ｇ）を同時に選択し、点灯することにより得られる。また、シアン色は、青（Ｂ）と緑（Ｇ）とを点灯し、マゼンタ色は、青（Ｂ）と赤（Ｒ）とを点灯し、イエロー色は、赤（Ｒ）と緑（Ｇ）とを点灯することにより得られる。明度は、ＬＥＤと組み合わせる液晶表示パネルの透過率を制御することにより達成できる。あるいは、赤（Ｒ）のＬＥＤの選択時間Ｔａを複数に分割し、赤（Ｒ）の点灯時間を可変にして表示を行うことができる。
【００６１】
以上の赤、緑、青ＬＥＤ（２２、２３、２４）の選択時間に同期する期間に液晶層３８
に大きな電圧を印加することにより、液晶表示パネルは透過率が大きくなり、赤、緑、青ＬＥＤ（２２、２３、２４）の光が観察者側に出射される。ＬＥＤが点灯する場合には、観察者の光の時間分解能と積分効果を利用し、カラー表示を行うため、ＬＥＤの点灯、非点灯が遅いと点滅（フリッカー）に見えて宜しくない。そのため、３０ヘルツ以上のフィールド周波数（Ｔｆが１６〜１７ミリ秒以下）で表示を行うことが要求され、さらに、液晶層３８の応答が遅いと色の分解能が低下してしまう。そのため、液晶層３８へ印加する電圧を大きくすると同時に駆動周波数を高くする。そのため、小型情報機器の消費する電力は、赤、緑、青ＬＥＤ（２２、２３、２４）の点灯による増加と液晶表示パネルの駆動による増加が発生する。
【００６２】
しかし、反射型の第１の偏光板３９の利用と、ＥＬ（４５）上の蛍光印刷層の利用により、外部環境が明るい場合には、十分な視認性が達成できること、さらに、複数の光源部を設けているため、外部環境が暗い場合においても、ＥＬ（４５）の点灯により十分視認性の向上が可能なこと、。さらに、カラー表示、あるいは、高輝度表示の際には、ＬＥＤを利用し、液晶層３８へ印加する電圧を増加し、液晶層３８の応答速度を向上し、ＬＥＤを時間分割して点灯することによりカラー表示ができる。
【００６３】
そのため、複数の発光機構の異なる光源部を設けることにより、小型情報機器である腕情報機器の電池寿命の延長とデザイン性の向上とキャラクター表示、メモ表示の多色化が可能となる。
【００６４】
＜第２の実施形態＞
つぎに、本発明の第２の実施形態に関して図面に基づいて説明する。第２の実施形態は、小型情報機器として液晶表示装置によるデジタル表示と指針によるアナログ表示を両方を有する時計装置である。また、液晶表示パネルに利用する液晶層には、ポリマーと液晶との混合液晶層を用いている。図６は、第２の実施形態の小型情報機器を示す平面模式図である。図７は、図６に示すＣ−Ｃ線における断面模式図である。以下に、図６と図７とを用いて説明する。
【００６５】
小型情報機器は、筐体である時計ケース１に風防ガラス２と裏蓋部３を有する。第２の実施形態においても、液晶表示装置を構成する液晶表示パネルは、裏蓋側に設ける第１の基板３１上には、信号電極（図示せず）を有し、風防ガラス２側に設ける第２の基板３５上にはデータ電極（図示せず）を有し、第１の基板３１と第２の基板３５とシール材４２により封入する液晶層３８を有する。液晶層３８には、明るく、さらに透過率の良好な高分子散乱型液晶を採用する。
【００６６】
高分子散乱型液晶は、高分子樹脂に液晶が混合し、液晶層３８へ電圧を印加することにより液晶の分子の方向が変化し、高分子樹脂と液晶との屈折率の差の大きさにより散乱と透過を制御するものである。高分子散乱型液晶は、大日本インキ製のＮＰＮ１５６を用いた。また、本第２の実施形態においては、配向膜は高分子樹脂との反応を防止するために使用していない。
【００６７】
また、第１の基板３１上に設ける信号電極は、エポキシ系の接着剤中に導電性ビーズを混入する異方性導電シール材を利用し、第２の基板３５上に設ける接続電極（図示せず）に接続し、第２の基板３５上に電気的に配置転換される。これにより、液晶表示パネルと回路基板４との接続は、導電部と非導電部が交互に積層するゼブラゴム６を用いて、第２の基板３５上のデータ電極と接続電極に接続し、液晶層３８へ所定の電圧を印加し表示を行う。回路基板４には、電力供給のために電池５を設けている。
【００６８】
また、第２の基板３５上には、液晶層３８への紫外線の照射の防止と、指針軸孔５８の
見切りと、液晶表示パネルのシール材４２等の見切りを兼用する文字板５５を設ける。文字板５５上には、１から１２までの時刻文字５６が印刷されている。
【００６９】
さらに、第１の基板３１の裏面側には、高分子散乱型液晶の透過の際の表示色を決定するためのフィルムを設ける。本第２の実施形態においては、ハーフミラー３３を採用することとした。ハーフミラー３３は、薄いアルミニウム（Ａｌ）膜を第１の基板３１の裏面に設ける方法、あるは、樹脂上に薄い銀（Ａｇ）膜を設け、第１の基板３１の裏側に貼り付ける方法を採用した。また、第１の実施形態に利用した反射型偏光板を採用しても良い。
【００７０】
また、液晶表示パネルの側壁部には、ＬＥＤ光源部２１を配置する。ＬＥＤ光源部２１の液晶表示パネルへの均一な光照射のために、第１の基板３１の裏面側には、高透過率の導光板４６を配置する。ＬＥＤ光源部２１は回路基板４と第１光源部配線５７により接続している。
【００７１】
さらに、導光板４６の裏側には、第２の光源部としてＥＬ（４５）を配置する。ここで、第２の光源部のＥＬ（４５）は、第１の基板３１の直下に設けるハーフミラー３３の特性を補強するために、反射特性を有するアルミニウム（Ａｌ）膜を電極とし、無彩色の反射特性を有する有機エレクトロルミネセンスを採用した。このため、外部環境が明るい場合には、ハーフミラー３３の反射特性と有機エレクトロルミネセンスのＥＬ（４５）の反射特性と高分子散乱型液晶の散乱性を利用して明るい表示が可能となる。
【００７２】
また、本第２の実施形態においては、第１の光源部を液晶表示パネルの側壁部に配置しているが、導光板は除去可能である。高分子散乱型液晶のため、第１の光源部であるＬＥＤからの光は、ハーフミラー３３と高分子散乱型液晶による散乱と、有機エレクトロルミネセンスのＥＬ（４５）の反射特性により十分に導光する効果があるためである。そのため、複数の光源部を有し、液晶表示パネルの側壁部に一部の光源部を有する小型情報機器において、高分子散乱型液晶を利用することは、偏光板を利用しないために明るい表示が達成できるのみならず、導光板の除去が可能となり、薄型化に有効となる。
【００７３】
また、小型情報機器は、有機エレクトロルミネセンスのＥＬ（４５）の裏側に分針５１と時針５２と指針軸５３の接続するアナログ時計駆動回路部５４を有する。アナログ時計駆動回路部５４は、全体の電源回路と液晶表示パネルの駆動回路を有する回路部４と接続している。
【００７４】
また、液晶表示パネルは、マトリクス型のため、複雑な表示が可能であるが、液晶の応答性と駆動電圧による消費電力の関係で３０×５０のマトリクスとした。さらに、小型情報機器は、表示内容の切り替えを行うモードボタン６５を有し、実施形態においては、年表示部６１、月表示部６２、日表示部６３を呈示している。
【００７５】
さらに、時刻合わせ、光源部の点灯内容等の設定を行う調整ボタン６４とＬＥＤ光源部２１、ＥＬ（４５）の点灯を行うライト点灯、消灯ボタン６６を有する。
【００７６】
また、アナログ表示の時刻文字５６と、指針軸孔５８とを紫外線を遮断する文字板５５に設けることにより、薄型化と低コスト化が達成できる。
【００７７】
＜第３の実施形態＞
以下に本発明の第３の実施形態について図面を参照しながら説明する。第３の実施形態に示す小型情報機器は、第２の実施形態と同様、時計装置に関するものである。液晶表示装置を構成する液晶層には、ツイスト角を２１０°から２６０°とするスーパーツイスト
ネマチック（ＳＴＮ）方式を利用している。また、第１の基板の裏蓋側には、直線偏光を楕円変更に変換するために１／４λフィルムを配置し、さらに、可視光領域で選択反射が可能なコレステリック液晶ポリマーフィルムを配置している。本第３の実施形態においては、１／４λフィルムとコレステリック液晶ポリマーフィルムにて偏光板の代用を行っている。また、コレステリック液晶ポリマーフィルムは、可視光の所定の波長領域を選択的に反射を有すると共に、透過性を有する選択反射板として利用している。図８は、本発明の第３の実施形態の小型情報機器を示す断面模式図である。以下に、図８を用いて第３の実施形態を説明する。
【００７８】
液晶表示装置を構成する液晶表示パネルは、第１の基板３１上には、信号電極（図示せず）をＭ本有し、第２の基板３５上にはデータ電極（図示せず）をＮ本有し、Ｍ×Ｎのマトリクス型の液晶表示パネルとする。マトリクス型の液晶表示パネルでは、各信号電極（図示せず）とデータ電極（図示せず）の交点が各画素部となる。各画素部にスイッチング素子を有するアクティブマトリクス型とスイッチング素子を設けないパッシブマトリクス型とがある。本実施形態はどちらにも有効であるが、パッシブマトリクス型を用いて説明する。
【００７９】
また、第１の基板３１と第２の基板３５との間には、ツイスト角が２１０°から２７０°のいずれかであるスーパーツイステッドネマティク液晶層（ＳＴＮ）３８を有する。液晶層３８は、第１の基板３１と第２の基板３５とシール部４２と封口材（図示せず）とにより封入されている。また、第１の基板３１上と第２の基板３５上とには、液晶を規則的に配列するために配向膜（図示せず）を設けている。さらに、配向膜は液晶を規則的に配列するために、ラビング処理を行っている。さらに、液晶をツイストするために、カイラル材を添加した。
【００８０】
また、図８に示すように、第２の基板３５上には、スーパーツイステッドネマティク液晶層(ＳＴＮ)３８の色付を防止するために位相差フィルム５９を設け、さらに第２の偏光板４０である吸収型偏光板を配置し、さらに、第２の偏光板４０で文字板５５を兼用するよう外周に時刻文字５６を設ける。さらに、第１の基板３１の裏蓋側には、スーパーツイステッドネマティク液晶層(ＳＴＮ)３８の偏光性を調整する１／４λフィルム４７と可視光領域の光を選択的に反射することが可能なコレステリック液晶ポリマーフィルム４４を設ける。
【００８１】
前記コレステリック液晶ポリマーフィルム４４は、第２の基板３５側からの光に対して選択的に強い金属調の反射特性を有し、さらに、選択的反射領域以外の波長は、効率良く透過することができる。そのため、コレステリック液晶ポリマーフィルム４４の裏蓋側に設ける第２の光源部であるＥＬ（４５）上の印刷層（図示せず）の色度（ｘ、ｙ値）をコレステリック液晶ポリマーフィルム４４の選択反射領域の色度と差を設ける、あるいは、印刷層の明度（Ｌ値）をコレステリック液晶ポリマーフィルム４４の明度より小さくすることにより、視認性の良好な表示が可能となる。また、第２の光源部であるＥＬ（４５）は、針式小型情報機器の駆動回路部５４上に設け、駆動回路部５４からの情報は、指針軸５３に連動し、分針５１と時針５２の時刻表示を可能とする。
【００８２】
また、コレステリック液晶ポリマーフィルム４４の金属調の選択反射を有効に利用するため、第１の光源部であるＬＥＤ光源部２１を回路基板４上に設け、リング状の導光部（リング状光源部４８）を介して、風防ガラス２の下面に配置する導光板４９により液晶表示パネルの上面に至る。そのため、コレステリック液晶ポリマーフィルム４４の利用による、選択的に非常に強い反射特性を有効に利用できる。
【００８３】
また、回路基板４には、小型情報機器を駆動するための電池５を有する。以上のように
、第１の光源部からの光を液晶表示パネルの風防ガラス側より照射し、第２の光源部であるＥＬ（４５）を液晶表示パネルの裏面側に配置することにより、コレステリック液晶ポリマーフィルム４４の選択反射と他の部分は透過する性質のため、第２の光源部の点灯か外部光源利用かにより、画像の明暗が反転してしまう。そのため、画像反転防止には、風防ガラス２側から照射する第１の光源部を利用し、画像反転を有効に利用するには、第２の光源部を利用すれば良い。
【００８４】
＜第４の実施形態＞
以下に本発明を実施するための第４の実施形態を図面を参照しながら説明する。第４の実施形態は、液晶表示装置と発電機構として太陽電池とを有し、太陽電池を液晶表示装置を構成する液晶表示パネルの裏側に設け、さらに、２種類の光源部を使用し、太陽電池の発電状況と電池蓄積残量により光源部の利用を制御するものである。図９は、発電機構を有する小型情報機器の平面模式図である。図１０は、図９のＤ−Ｄ線における断面模式図である。図１１は、発電機構を有する小型情報機器のシステムブロック図である。図１２はこの小型情報機器に用いる液晶表示パネルの平面図である。以下に、図９と図１０と図１１と図１２とを交互に用いて第４の実施形態を説明する。
【００８５】
液晶表示装置を構成する液晶表示パネルは、紙面下面に設ける第１の基板３１と紙面上面に設ける第２の基板３５を有する。液晶表示パネルはキャラクターとして複数の動物を表示するか、または、図９に示すように、年表示６１、月表示６２、日表示６３、曜日表示６７を切り替える表示部と、午前と午後の表示部８と時表示部９と分表示部１０からなる時刻表示部１１と、スケジュール等表示を行うメモ表示部２０とを有する。
【００８６】
図１２の液晶表示パネルの平面図に示すように、液晶表示パネルの表示内容により、配線パターンと液晶層３８への印加電圧、駆動周波数を最適化している。すなわち、キャラクターとして複数の動物を表示するか、または、年表示６１、月表示６２、日表示６３、曜日表示６７を切り替える第１の表示部８７は、第１の基板３１上には、透明導電膜として酸化インジウム酸化スズ（ＩＴＯ）膜からなるＭ本の信号電極３２を設ける。第１の基板３１と所定の間隙を有して対向する第２の基板３５上には、Ｎ本のデータ電極３６を有し、Ｍ×Ｎのマトリクス型をしている。
【００８７】
午前と午後の表示部８と時表示部９と分表示部１０からなる時刻表示部１１（図９）、８８（図１２）は、数字を７分割のセグメント電極により表示するセグメント型を配置する。セグメント型電極は、小型情報機器の設定ボタン１６と反対の側に回路４との接続端子を配置している。
【００８８】
また、メモ表示部２０（図９）、８９（図１２）は、情報量が多いため、各画素部４１にスイッチング素子を有するアクティブマトリクス型を使用する。スイッチング素子としては、二端子型と三端子型とがあり、いずれを用いることも可能であるが、低電圧駆動と間欠駆動には、三端子型の薄膜トランジスタ（ＴＦＴ）が適している。間欠駆動は、信号電極３２に選択信号を印加し、データ電極３６に階調信号を印加して表示を行い、選択信号を印加し、メモ表示部２０を全面順次的に選択した後には、端子を高インピーダンス回路に接続し、信号電極３２とデータ電極３６に信号を印加せず、表示を行うことにより、駆動周波数の低減と間欠駆動による消費電力の低減ができる。
【００８９】
さらに、液晶層３８へ電圧を印加せず、表示を切り、液晶層３８と第１の偏光板３９と第２の偏光板４０により透過率を大きくすることにより、太陽電池５０により発電を効率良く行うことができる。
【００９０】
また、図１１のシステムブロック図に示すように、発電手段７１である太陽電池の発電状況は、電圧検出回路７２により検出されるため、電圧検出回路７２より二次電池７４へ
充電用電圧変換回路７３を経て充電される。また、電池残量検出回路７５は、電圧検出回路７２と二次電池７４の状況を検出し、光源部選択回路７６へ信号を発信している。光源部選択回路７６と、小型情報機器の利用者の要求、あるいは外部環境の変化を検出するセンサーからの信号により、第１の光源部であるＬＥＤ光源部２１、あるいは、第２の光源部であるＥＬ（４５）を選択し、電池残量により光源部の選択を行う。
【００９１】
また、液晶表示装置を構成する液晶表示パネルには、信号電極、あるいはデータ電極へ順次的に信号を印加するため、基準クロック発振回路７７の信号は、同期分離回路７８を経て垂直同期回路７９と水平同期回路８２に分割され、垂直同期回路７９と階調信号発生回路８０とデータ電極駆動回路８１により、第１の基板３１と第２の基板３５との間の液晶層に所定の階調を達成するための信号が印加される。
【００９２】
また、水平同期回路８２と走査線駆動回路８３により信号電極が順次選択され、選択信号が印加される。
【００９３】
【発明の効果】
以上の説明で明らかなように、液晶表示パネルにより、透過率、あるいは反射率、あるいは、散乱度を印加電圧により制御し表示を行う液晶表示装置と、この液晶表示装置を用いた小型情報機器においては、液晶表示装置の使用環境が明るい場合、あるいは、視認性の向上が特に必要ない場合には、光源部を非点灯状態とする。使用環境が暗い、あるいはタイマー等の表示を行い、利用者に特別の視認性を必要とする場合には、光源部の消費電力に応じて、複数の発光機構を有する光源部を選択して利用することにより、小型情報機器の駆動時間の延長とデザイン性の向上ができた。
【００９４】
また、光源部としてＬＥＤとＥＬを利用し、ＥＬを面光源として利用する。また、ＬＥＤを側部に配置し導光板にてＥＬ上に導光し、さらに、外部光源が明るい場合には、導光板上、あるいはＥＬ上に設けるフィルター層の反射色、あるいは吸収色を利用して表示を行うことにより、消費電力の低減と装飾性に優れる表示ができた。
【００９５】
また、液晶表示装置を構成する偏光板には、一方の光学軸が透過軸であり、直交する光学軸が反射軸である反射型偏光板を利用することにより、液晶表示パネルの裏面が吸収色の場合に、反射型偏光板により反射とフィルター層の吸収色により良好なコントラスト比が可能となる。さらに、使用環境の反射と複数の光源部の点灯との組み合わせにより、反射光と光源部からの光により非常に多彩な表示が可能となった。
【００９６】
同様に、コレステリック液晶ポリマーフィルムを用いて、その選択反射特性と大きな透過性を利用することにより、明るい表示と装飾性に優れる表示が可能となる。また、使用者と小型情報機器の位置により選択反射色が変化するため、光源部の色と組み合わせることにより、色々な表示を一種類の小型情報機器にて得ることができた。
【００９７】
また、複数の色を有するＬＥＤを時間選択することによりカラー表示が可能であるが、液晶表示パネルを駆動する周波数を光源部の発光機構に適するよう可変にする方法を採用することにより、光源部の選択と、液晶表示装置を構成する液晶表示パネルの駆動周波数の選択により、さらに消費電力を低減することができた。
【００９８】
たとえば、ＬＥＤを時間選択してカラー表示を行う場合には、液晶表示パネルの応答速度を早くする必要があるが、複数種類の光源部を設けることにより、液晶表示パネルへの印加電圧を大きくする時間を短縮でき、消費電力の低減とＬＥＤの非点灯の際の表示品質の向上ができた。
【００９９】
また、ＬＥＤの各色の発光強度が異なるため、点灯時間を発光強度が小さい場合には長く、逆に強い場合には、短くすることにより、カラー表示の際の彩度のバランスが得られ、明るく、良好な表示ができた。
【０１００】
さらに、電池の残量、あるいは、発電機能を有する小型情報機器の場合には、電池残量、あるいは発電能力により、複数の光源部の内から、電力消費に対応して光源部を選択することにより、視認性と電池寿命の延長が可能となった。
【０１０１】
特に、大きさ（容積、厚さ）とデザイン性が機能性の一部とされる時計装置においては、複数の発光機構を有する光源部によるデザイン性の向上と光源部の選択による低消費電力化は極めて有効である。
【０１０２】
また、小型情報機器として分針、あるいは時針等によるアナログ表示部と液晶表示パネルによるデジタル表示部を有する時計装置の場合に、アナログ表示部の指針軸孔に対して側部に設ける光源部は対称とすることにより、指針軸孔により光が遮断されることを防止できる。さらに、少なくとも一方の光源部をリング状光源部とすることにより小型情報機器の上下の方向から光を照射することができる。
【図面の簡単な説明】
【図１】
本発明の第１の実施形態における小型情報機器の平面模式図である。
【図２】
本発明の第１の実施形態における小型情報機器の断面模式図である。
【図３】
本発明の第１の実施形態における小型情報機器に用いる液晶表示パネルの平面図である。
【図４】
本発明の第１の実施形態における小型情報機器に用いる液晶表示パネルの断面図である。
【図５】
本発明の小型情報機器に用いる液晶表示パネルの駆動波形を示すタイミングチャートである。
【図６】
本発明の第２の実施形態における小型情報機器の平面模式図である。
【図７】
本発明の第２の実施形態における小型情報機器の断面模式図である。
【図８】
本発明の第３の実施形態における小型情報機器の断面模式図である。
【図９】
本発明の第４の実施形態における小型情報機器の平面模式図である。
【図１０】
本発明の第４の実施形態における小型情報機器の断面模式図である。
【図１１】
本発明の小型情報機器に用いるシステムブロック図である。
【図１２】
本発明の第４の実施形態における小型情報機器に用いる液晶表示パネルの平面図である。
【符号の説明】
１  時計ケース
２  風防ガラス
３  裏蓋
４  回路基板
５  電池（二次電池）
６  ゼブラゴム
７  見切り板
１１  時刻表示部
２０  メモ表示部
２１  ＬＥＤ光源部
２２  赤ＬＥＤ
２３  緑ＬＥＤ
２４  青ＬＥＤ
３１  第１の基板
３２  信号電極
３３  ハーフミラー
３５  第２の基板
３６  データ電極
３７  配向膜
３８  液晶層
３９  第１の偏光板
４０  第２の偏光板
４１  画素部
４２  シール材
４４  コレステリック液晶ポリマーフィルム
４５  ＥＬ
４６  導光板
４７  １／４λフィルム
４８  リング状光源部
４９  導光板
５０  太陽電池
５１  分針
５２  時針
５３  指針軸
５４  駆動回路部
５５  文字板
５９  位相差フィルム
７１  発電手段
７６  光源部選択回路
【手続補正２】
【補正対象書類名】図面
【補正対象項目名】図１
【補正方法】変更
【補正の内容】
【図１】
1999142847.tif 000001
【手続補正３】
【補正対象書類名】図面
【補正対象項目名】図２
【補正方法】変更
【補正の内容】
【図２】
1999142847.tif 000002
【手続補正４】
【補正対象書類名】図面
【補正対象項目名】図５
【補正方法】変更
【補正の内容】
【図５】
1999142847.tif 000003
【手続補正５】
【補正対象書類名】図面
【補正対象項目名】図７
【補正方法】変更
【補正の内容】
【図７】
1999142847.tif 000004
【手続補正６】
【補正対象書類名】図面
【補正対象項目名】図８
【補正方法】変更
【補正の内容】
【図８】
1999142847.tif 000005
【手続補正７】
【補正対象書類名】図面
【補正対象項目名】図１１
【補正方法】変更
【補正の内容】
【図１１】
1999142847.tif 000006